(57)【要約】【課題】雨上がり等のフィールドが濡れている場合であっても、ウェアのレッグ部分を雨水から保護するレッグカバーの提供。【解決手段】このレッグカバー１０は、ウェアに着脱される。レッグカバー１０は、本体１４とスカート部１５とを備える。本体１４は、筒状に形成され、膝部分から足首部分までを保護する。本体１４は、切欠部２０を備える。切欠部２０は、面ファスナー２１により開閉される。スカート部１５は、漏斗状に形成され、シューズを保護する。本体１４の上縁部は、弾性的に拡縮する。【選択図】図２
2007277761.tif 000002
【特許請求の範囲】
【請求項１】
撥水性を有する生地からなり、ウェアに装着されるレッグカバーであって、
膝下部分から足首部分までを被う筒状の本体と、
本体の下縁から下方に連続し、踵部分及び甲部分を被うスカート部とを備え、
当該スカート部は、上記踵部分及び甲部分に沿って配置されるように、その内径が下方に向かって漸次拡径された漏斗状に形成されており、
上記本体の上縁部の内径は、弾性的に拡縮するように構成されているレッグカバー。
【請求項２】
上記本体の上縁から下方に所定長さだけ切り込まれた切込部が設けられ、当該切込部を開閉する面ファスナーが設けられている請求項１に記載のレッグカバー。
【請求項３】
上記切込部では上記本体を構成する生地がオーバーラップしている請求項２に記載のレッグカバー。
【請求項４】
上記本体の上縁から上記スカート部の下縁まで切り込まれた切込部が設けられており、当該切込部を開閉するファスナーが設けられている請求項１に記載のレッグカバー。
【請求項５】
上記ファスナーを被う防水フラップがさらに設けられている請求項４に記載のレッグカバー。
【請求項６】
上記本体と上記スカートとの境界部の内径は、弾性的に拡縮するように構成されている請求項１から５のいずれかに記載のレッグカバー。
【請求項７】
上記境界部のうち上記甲部分に対応する部分のみが径方向に拡縮するように構成されている請求項６に記載のレッグカバー。
【請求項８】
上記本体は、上記ウェアにファスナーを介して着脱されるように構成されている請求項１から７のいずれかに記載のレッグカバー。
【請求項９】
膝下部分から足首部分までを被う筒状の本体及び当該本体の下縁から下方に連続し、踵部分及び甲部分を被うスカート部を備えたレッグカバーが着脱自在に設けられ、
上記スカート部は、上記踵部分及び甲部分に沿って配置されるように、その内径が下方に向かって漸次拡径された漏斗状に形成されており、上記本体の上縁部の内径は、弾性的に拡縮するように構成されているスポーツウェア。
【請求項１０】
上記本体と上記スカートとの境界部の内径は、弾性的に拡縮するように構成されている請求項９に記載のスポーツウェア。
【請求項１１】
上記境界部のうち上記甲部分に対応する部分のみが径方向に拡縮するように構成されている請求項１０に記載のスポーツウェア。
【請求項１２】
上記本体は、上記ウェアにファスナーを介して着脱されるように構成されている請求項９から１１のいずれかに記載のスポーツウェア。
【請求項１３】
上記ファスナーを被う防水フラップがさらに設けられている請求項１２に記載のスポーツウェア。
【発明の詳細な説明】
【技術分野】
【０００１】
本発明は、レッグ部分を被うように衣類の上から装着されるレッグカバーに関するものである。
【背景技術】
【０００２】
例えば降雨時のゴルフやジョギングの際には、一般にレインウェアが着用される。通常、レインウェアは、ゴルフウェアやスポーツウェアの上に外套として着用され、着用者は、雨が止めばレインウェアを脱ぐ。
【０００３】
レインウェアは降雨時に着用されるものであるから、ジャケットの袖口、ズボンの裾周辺から雨が侵入しないように、例えば裾の周囲を絞るためにゴム紐を装着する等の対策が講じられている。ところが、例えばゴルフのプレー中にかかる浸水防止構造を備えたレインウェアが着用される場合には、プレーヤーがズボンを着脱する際にシューズが裾口に引っ掛かるなどし、迅速なレインウェアの着脱が困難になる。この問題を解決するために、従来からレインウェアは種々の改良がなされており、ゴルフプレーヤーがプレー中であっても比較的簡単に着用することができるレインウェアも提供されている（例えば、特許文献１参照）。
【０００４】
【特許文献１】特開２０００−１１００１３号公報
【発明の開示】
【発明が解決しようとする課題】
【０００５】
ところで、一般にゴルフプレーヤーは、レインウェアを着用するとゴルフクラブを使用する際にスイングの違和感を覚える。したがって、ゴルフプレーヤーは雨が止むと直ちにレインウェアを脱ぐが、雨上がり直後ではフィールドが雨で濡れており、そのため、ゴルフウェア、特にスラックス等がひどく濡れてしまうおそれがある。その一方、フィールドがある程度乾くまでレインウェアを着用したままでは、プレーに支障が生じる可能性が高い。
【０００６】
そこで、本発明の目的は、ゴルフやジョギング等のアウトドアスポーツの際に着用されるウェア、特にレッグ部分に簡単且つ迅速に着脱され、雨上がり等のフィールドが濡れている場合であっても、ウェアのレッグ部分を雨水から保護するレッグカバーを提供することである。
【課題を解決するための手段】
【０００７】
(1) 上記目的が達成されるため、本発明に係るレッグカバーは、例えばゴルフやジョギング等のアウトドアスポーツの際に着用されるウェアに装着され得るものであって、撥水性を有する生地からなる。このレッグカバーは、膝下部分から足首部分までを被う筒状の本体と、本体の下縁から下方に連続し、踵部分及び甲部分を被うスカート部とを備える。このスカート部は、上記踵部分及び甲部分に沿って配置されるように、その内径が下方に向かって漸次拡径された漏斗状に形成されている。また、上記本体の上縁部の内径は、弾性的に拡縮するように構成されている。
【０００８】
アウトドアスポーツでは、通常、そのジャンルに適したウェアが提供されており、さらに、降雨時には外套として着用されるレインウェアも提供されている。例えばゴルフでは、雨が止んだ直後ではフィールドが濡れており、プレーヤーがレインウェアを脱ぐことによってゴルフウェア、特にスラックスのレッグ部分が濡れてしまう。しかし、このような状況において、本発明に係るレッグカバーが装着されると、プレーヤーの膝から下の部分が本体により被われると共に踵部分及び甲部分がスカート部により被われ、雨水から保護される。しかも、このスカート部は漏斗状に形成されているから、上記踵部分及び甲部分が確実に保護される。さらに、上記本体の上縁部が弾性的に拡げられるから、プレーヤーは、このレッグカバーを装着する際に上記本体に簡単に脚を挿入することができるし、脚を挿入した後に上記本体の上縁部が弾性的に収縮するから、このレッグカバーが確実に脚に保持される。
【０００９】
(2) 上記本体の上縁から下方に所定長さだけ切り込まれた切込部が設けられ、当該切込部を開閉する面ファスナーが設けられているのが好ましい。
【００１０】
この場合、面ファスナーが開けられることによって切込部が開かれる。これにより、本体の上縁部が大きく開かれ、プレーヤーは、一層簡単にレッグカバーを着脱することができる。なお、レッグカバーが装着された状態で上記面ファスナーが閉じられることによって上記切込部が閉じられ、レッグカバーは、確実に脚に保持される。
【００１１】
(3) 上記切込部では上記本体を構成する生地がオーバーラップしているのが好ましい。
【００１２】
切込部がかかる構造を備えることにより、当該切込部からの浸水が効果的に抑制されるという利点がある。
【００１３】
(4) また、上記本体の上縁から上記スカート部の下縁まで切り込まれた切込部が設けられており、当該切込部を開閉するファスナーが設けられていてもよい。
【００１４】
この構成では、ファスナーが開かれることによって切込部が開かれる。この切込部は上記本体の上縁から上記スカート部の下縁にまで達しているから、ファスナーが開かれることによって筒状を呈するレッグカバーが平面的に展開される。したがって、プレーヤーは、この平面的に展開されたレッグカバーを巻き付けるようにして脚に装着することができ、きわめて簡単にレッグカバーを着脱することができる。
【００１５】
(5) この場合、上記ファスナーを被う防水フラップがさらに設けられているのが好ましい。
【００１６】
これにより、上記ファスナーからの浸水が効果的に抑制される。したがって、レッグカバーが簡単に装着されるうえに、浸水が確実に防止される。
【００１７】
(6) 上記本体と上記スカートとの境界部の内径は、弾性的に拡縮するように構成されているのが好ましい。
【００１８】
この構成では、レッグカバーが装着された状態で上記境界部が弾性的に足首の周りに密着される。これにより、スカート部が足首に保持され、踵及び甲がスカート部によって確実に保護される。
【００１９】
(7) 上記境界部のうち上記甲部分に対応する部分のみが径方向に拡縮するように構成されているのがなお好ましい。
【００２０】
これにより、レッグカバーを脚に装着する作業がより簡単になるという利点がある。特に、レッグカバーが平面的に展開されないような構造の場合は、プレーヤーが脚を本体及びスカート部に挿通しやすくなる。
【００２１】
(8) 上記本体は、上記ウェアにファスナーを介して着脱されるように構成されていていてもよい。
【００２２】
これにより、レッグカバーは、ウェアの一部として構成され得る。そして、プレーヤーが所望時にこのレッグカバーを着脱することができる。
【００２３】
(9) ゴルフウェアその他のスポーツウェアは、膝下部分から足首部分までを被う筒状の本体及び当該本体の下縁から下方に連続し、踵部分及び甲部分を被うスカート部を備えたレッグカバーが着脱自在に設けられているのが好ましい。上記スカート部は、上記踵部分及び甲部分に沿って配置されるように、その内径が下方に向かって漸次拡径された漏斗状に形成されており、上記本体の上縁部の内径は、弾性的に拡縮するように構成されているのが好ましい。
【００２４】
前述のように、例えばゴルフでは、雨が止んだ直後ではフィールドが濡れており、プレーヤーがそのままプレーをすることによってゴルフウェア、特にスラックスのレッグ部分が濡れてしまう。しかし、このような状況でも、上記レッグカバーが設けられているので、プレーヤーの膝から下の部分が本体により被われると共に踵部分及び甲部分がスカート部により被われ、雨水から保護される。しかも、このスカート部は漏斗状に形成されているから、上記踵部分及び甲部分が確実に保護される。さらに、上記本体の上縁部が弾性的に拡げられるから、プレーヤーは、このレッグカバーを着脱する際に上記本体に簡単に脚を挿入することができるし、脚を挿入した後に上記本体の上縁部が弾性的に収縮するから、このレッグカバーが確実にスラックスに取り付けられる。
【００２５】
(10)上記本体と上記スカートとの境界部の内径は、弾性的に拡縮するように構成されているのが好ましい。
【００２６】
この構成では、レッグカバーが装着された状態で上記境界部が弾性的に足首の周りに密着される。これにより、スカート部が足首に保持され、踵及び甲がスカート部によって確実に保護される。
【００２７】
(11)上記境界部のうち上記甲部分に対応する部分のみが径方向に拡縮するように構成されているのが好ましい。
【００２８】
これにより、レッグカバーを脚に装着する作業がより簡単になるという利点がある。特に、プレーヤーが脚を本体及びスカート部に挿通しやすくなる。
【００２９】
(12)上記本体は、上記ウェアにファスナーを介して着脱されるように構成されているのが好ましい。
【００３０】
これにより、プレーヤーは、所望時に簡単且つ迅速にレッグカバーを着脱することができる。
【００３１】
(13)上記ファスナーを被う防水フラップがさらに設けられているのが好ましい。
【００３２】
この防水フラップにより、上記ファスナーからの浸水が確実に防止される。
【発明の効果】
【００３３】
以上のように、アウトドアスポーツの際中に雨が降り止んだ場合等において、レッグカバーが装着されることにより、プレーヤーの膝から下の部分並びに踵部分及び甲部分が雨水から保護されるので、フィールドが濡れている場合であってもウェアがひどく濡れ、靴がひどく汚れてしまうことがない。その結果、プレーヤーは、プレー中に雨が止めば直ちに外套としてのレインウェアを脱ぐことができ、快適にアウトドアスポーツを行うことができる。しかも、このレッグカバーは簡単に着脱されるから、プレー中に迅速に装着することができるという利点もある。
【発明を実施するための最良の形態】
【００３４】
以下、適宜図面が参照されつつ、好ましい実施形態に基づいて本発明が詳細に説明される。
【００３５】
＜第１の実施形態＞
【００３６】
図１は、本発明の第１の実施形態に係るレッグカバーの斜視図であり、図２は正面図である。
【００３７】
このレッグカバー１０は、ゴルフの際にプレーヤーがウェア１１の上から装着するものであって、図１が示すようにウェア１１のレッグ部分１２及びシューズ１３を保護し、これらへの浸水を防止するものである。なお、本実施形態では、説明を簡単なものとするために、レッグカバー１０がゴルフ用のウェア１１に装着される場合を例示するが、本発明に係るレッグカバー１０は、ゴルフウェアに限定して装着されるものではなく、種々のアウトドアスポーツ用のウェアに適用されるものである。
【００３８】
レッグカバー１０は、本体１４と、本体１４の下方に延設されたスカート部１５とを備えている。本体１４及びスカート部１５は、撥水性を有するシートから構成されている。本実施形態では、本体１４及びスカート部１５を構成する材料としてナイロンその他の樹脂シートが採用される。もっとも、本体１４及びスカート部１５が綿等から構成され、この表面が撥水処理されていてもよいことは勿論である。
【００３９】
本体１４は、円筒状に形成されている。本体１４の内径寸法は、５０ｍｍ〜８０ｍｍ程度に設定されている。本体１４の長手方向寸法は、２００ｍｍ〜３００ｍｍ程度に設定されている。このため、プレーヤーがレッグカバー１０を装着すると、本体１４は、プレーヤーの膝下部分から足首部分までを被うようになっている。また、本体１４の上縁部１６にゴムバンド１７が設けられている。このゴムバンド１７は、図１が示すように、本体１４の上縁部１６に周方向に沿って配置されており、これにより、本体１４の上縁部１６の内径寸法は、弾性的に拡縮されるようになっている。
【００４０】
スカート部１５は、本体１４と一体的に形成されている。スカート部１５は、本体１４の下縁２４から下方に連続している。スカート部１５の長手方向寸法は、１００ｍｍ〜１５０ｍｍ程度に設定されている。スカート部１５は、漏斗状に形成されており、その内径寸法が下方に向かって漸次拡大されている。スカート部１５が漏斗状に形成されているから、プレーヤーがシューズ１３を履いた状態で、スカート部１５の前側が甲部分２６側に延び、踵部分２５及び甲部分２６に沿って配置される。すなわち、これら踵部分２５及び甲部分２６がスカート部１５によって被われるようになっている。
【００４１】
図２が示すように、本体１４の内側、すなわちプレーヤーの脚１９の内側に切込部３２が設けられている。この切込部３２は、本体１４の上縁１８からスカート部１５の下縁３１まで延びている。また、この切込部３２にファスナー３３が設けられている。このファスナー３３が操作されることによって切込部３２が開閉される。すなわち、図２が示すようにファスナー３３が完全に閉じられると、レッグカバー１０が全体として筒状に形成される。一方、ファスナー３３が完全に開かれると、レッグカバー１０は、シート状に展開される。
【００４２】
本実施形態では、ファスナー３３は、スライドファスナーとして構成されている。ただし、ファスナー３３は、面ファスナーが採用されてもよい。なお、本明細書において、「ファスナー」の概念には、スライドファスナー、面ファスナー、ボタンその他の開閉具が含まれ、さらに、スタッド部材及びソケット部材からなるスナップ、フック部材及びアイ部材からなる留めピンその他の留め具も含まれる。
【００４３】
さらに、この切込部３２に沿って防水フラップ３４が設けられている。この防水フラップ３４は、上記本体１４及びスカート部１５を構成する生地からなる。防水フラップ３４は、上記本体１４及びスカート部１５と一体的に形成されていてもよいし、別部材として構成され、上記本体１４及びスカート部１５に縫い付けられていてもよい。ファスナー３３が閉じられると、図２が示すように、防水フラップ３３が本体１４及びスカート部１５に所定の距離ｄだけオーバーラップし、ファスナー３３を上から被う。これにより、ファスナー３３からレッグカバー１０内への浸水が防止されている。
【００４４】
また、本体１４とスカート部１５との境界部２７に図示されていないゴムバンドが設けられている。これにより、この境界部２７の内径寸法が弾性的に拡縮されるようになっている。特に本実施形態では、上記ゴムバンドは、境界部２７のうち上記甲部分２６に対応する部分のみに配置されている。これにより、上記境界部２７のうち前側のみが径方向に拡縮するようになっている。もっとも、上記ゴムバンドは、境界部２７の周囲全体に設けられていてもよい。このように、境界部２７が弾性的に拡縮されることによる作用効果については後述される。
【００４５】
本実施形態に係るレッグカバー１０は、次の要領で使用される。
【００４６】
雨天の場合、プレーヤーはレインウェアを外套として着用するが、レインウェアはスイングの妨げになることが多いことから、通常、プレーヤーは、雨が止むと直ちにレインウェアを脱ぐ。ところが、雨が止んだ直後ではフィールドが濡れており、プレーヤーがレインウェアを脱ぐことによってスラックスのレッグ部分が濡れてしまう。このような状況において、プレーヤーがレッグカバー１０をスラックスの上から装着することによって、図１が示すように、プレーヤーの膝から下の部分並びに踵部分２５及び甲部分２６がレッグカバー１０により被われ、雨水から保護される。
【００４７】
具体的には、プレーヤーは、次のようにしてレッグカバー１０を装着することができる。まず、プレーヤーは、ファスナー３３の把手３５（図２参照）を下方へスライドさせる。これにより、ファスナー３３が開かれ、切込部３２が開かれる。この切込部３２は本体１４の上縁１８からスカート部１５の下縁３１にまで達しているから、前述のように、ファスナー３３が開かれることによってレッグカバー３０がシート状に展開される。したがって、プレーヤーは、このように平面的に展開されたレッグカバー３０を脚１９に巻き付けた後、上記把手３５を操作してファスナー３３を閉じる。これにより、プレーヤーは、きわめて簡単にレッグカバー１０を装着することができる。なお、プレーヤーは、このレッグカバー１０を脚１９から取り外す場合には、再び上記ファスナー３３を開けるだけでよい。
【００４８】
このようにレッグカバー１０が脚１９に装着されることにより、ゴルフにおいて、フィールドが濡れている場合であってもスラックスがひどく濡れ、靴がひどく汚れてしまうことがない。その結果、プレーヤーは、プレー中に雨が止めば直ちに外套としてのレインウェアを脱ぐことができ、快適なプレーを行うことができる。
【００４９】
しかも、上記レッグカバー１０は、上記防水フラップ３４が設けられているから、ファスナー３３からの浸水が効果的に抑制される。前述のように、この防水フラップ３４は、本体１４及びスカート部１５と一体的に構成され、ファスナー３３が閉じられた場合に本体１４及びスカート部１５を構成する生地が重ね合わされることにより形成されていてもよいし、本体１４及びスカート部１５とは別部材として構成され、これが本体１４及びスカート部１５に取り付けられていてもよい。要するに、ファスナー３３が閉じられた際に、これを被ってレッグカバー１０内への水の侵入を防止することができるものであればよい。
【００５０】
本実施形態では、レッグカバー１０の本体１４の上縁部１６が弾性的に拡げられる。プレーヤーは、レッグカバー１０を脚１９に装着する際に、一旦この上縁部１６を引っ張って伸ばした後に脚１９に巻き付ける。これにより、本体１４の上縁部１６は、その弾性力による緊迫力によって確実に脚１９に固定され、したがって、レッグカバー１０が確実に脚１９に装着される。すなわち、プレーヤーは、プレー中であっても迅速にレッグカバー１０を脚１９に装着することができ、また、取り外すことができる。
【００５１】
本実施形態では、本体１４とスカート部１５との境界部２７は、その内径が弾性的に拡縮する。したがって、レッグカバー１０が装着された状態で上記境界部２７が弾性的にプレーヤーの足首の周りに密着される。これにより、スカート部１５によって踵部分２５及び甲部分２６が確実に保護される。特に、境界部２７のうち前側のみが拡縮するように構成されているから、プレーヤーがレッグカバー１０を脚１９に巻き付ける作業がより簡単になるという利点がある。
【００５２】
＜第２の実施形態＞
【００５３】
図３は、本発明の第２の実施形態に係るレッグカバーの斜視図である。
【００５４】
上記第１の実施形態に係るレッグカバー１０と同様に、このレッグカバー３０は、ゴルフの際にプレーヤーがウェア１１の上から装着するものであって、図３が示すようにウェア１１のレッグ部分１２及びシューズ１３を保護し、これらへの浸水を防止するものである。なお、本実施形態においても説明を簡単なものとするために、レッグカバー１０がゴルフ用のウェア１１に装着される場合を例示するが、本発明に係るレッグカバー１０は、ゴルフウェアに限定して装着されるものではなく、種々のアウトドアスポーツ用のウェアに適用されるものである。
【００５５】
レッグカバー３０は、上記第１の実施形態に係るレッグカバー１０と同様に、筒状の本体１４と、本体１４の下方に延設されたスカート部１５とを備えている。本体１４及びスカート部１５は、撥水性を有するシートから構成されている。本実施形態では、本体１４及びスカート部１５を構成する材料としてナイロンその他の樹脂シートが採用される。もっとも、本体１４及びスカート部１５が綿等から構成され、この表面が撥水処理されていてもよいことは勿論である。
【００５６】
本体１４は、円筒状に形成されている。本体１４の内径寸法は、５０ｍｍ〜８０ｍｍ程度に設定され、後述のように、プレーヤーは、脚を上方から本体１４に挿入する。本体１４の長手方向寸法は、２００ｍｍ〜３００ｍｍ程度に設定されている。このため、プレーヤーが脚を本体１４に挿入すると、図３が示すように、本体１４は、プレーヤーの膝下部分から足首部分までを被うようになっている。また、上記第１の実施形態に係るレッグカバー１０と同様に、本体１４の上縁部１６にゴムバンド１７が設けられている。このゴムバンド１７は、本体１４の上縁部１６に周方向に沿って配置されており、これにより、本体１４の内径寸法は、弾性的に拡縮されるようになっている。
【００５７】
図３が示すように、本体１４の内側、すなわちプレーヤーの脚１９の内側に切込部２０が設けられている。ただし、この切込部２０においては、本体１４を構成する生地が所定の距離ｄだけ重ね合わされている。このように生地がオーバーラップされていることによる作用効果については後述される。この切込部２０は、本体１４の上縁１８から下方に向かって延びている。切込部２０の長さは、１２０ｍｍ〜２００ｍｍ程度に設定される。さらに、本体１４の上縁部１６に面ファスナー２１が設けられている。この面ファスナー２１は、フックテープ２２及びループテープ２３を備えている。ループテープ２３がフックテープ２２の上に当接されることによって両者が所定の接着力で接着され、その結果、切込部２０が閉じられる。一方、ループテープ２３がフックテープ２２から剥がされることによって上記切込部２０が開かれる。
【００５８】
切込部２０が閉じられるときは、本体１４の上縁部１６が周方向に弾性的に引き伸ばされた後、ループテープ２３とフックテープ２２とが接着される。これにより、上記ゴムバンド１７の緊迫力によって本体１４が確実にプレーヤーの膝下部分に固定される。また、ループテープ２３とフックテープ２２とが離反されることにより切込部２０が開かれ、したがって、プレーヤーは、本体１４から脚１９を容易に抜くことができる。
【００５９】
図３が示すように、スカート部１５は本体１４と一体的に形成されており、本体１４の下縁２４から下方に連続している。スカート部１５の長手方向寸法は、１００ｍｍ〜１５０ｍｍ程度に設定されている。上記第１の実施形態に係るレッグカバー１０と同様に、スカート部１５は漏斗状に形成されており、その内径寸法が下方に向かって漸次拡大されている。スカート部１５が漏斗状に形成されているから、プレーヤーがシューズ１３を履いた状態で、スカート部１５の前側が甲部分２６側に延び、踵部分２５及び甲部分２６に沿って配置される。すなわち、これら踵部分２５及び甲部分２６がスカート部１５によって被われるようになっている。
【００６０】
また、上記第１の実施形態に係るレッグカバー１０と同様に、本体１４とスカート部１５との境界部２７に図示されていないゴムバンドが設けられている。これにより、この境界部２７の内径寸法が弾性的に拡縮されるようになっている。本実施形態においても、上記ゴムバンドは、境界部２７のうち上記甲部分２６に対応する部分のみに配置されている。これにより、上記境界部２７のうち前側のみが径方向に拡縮するようになっている。もっとも、上記ゴムバンドは、境界部２７の周囲全体に設けられていてもよい。このように、境界部２７が弾性的に拡縮されることによる作用効果については後述される。
【００６１】
本実施形態に係るレッグカバー３０は、次の要領で使用される。
【００６２】
雨天の場合、プレーヤーはレインウェアを外套として着用するが、レインウェアはスイングの妨げになることが多いことから、通常、プレーヤーは、雨が止むと直ちにレインウェアを脱ぐ。ところが、雨が止んだ直後ではフィールドが濡れており、プレーヤーがレインウェアを脱ぐことによってスラックスのレッグ部分が濡れてしまう。このような状況において、プレーヤーがレッグカバー３０をスラックスの上から装着することによって、上記第１の実施形態に係るレッグカバー１０と同様に、プレーヤーの膝から下の部分並びに踵部分２５及び甲部分２６がレッグカバー３０により被われ、雨水から保護される（図１参照）。すなわち、ゴルフにおいて、フィールドが濡れている場合であってもスラックスがひどく濡れ、靴がひどく汚れてしまうことがなく、プレーヤーは、プレー中に雨が止めば直ちに外套としてのレインウェアを脱ぐことができ、快適なプレーを行うことができる。
【００６３】
しかも、レッグカバー３０の本体１４の上縁部１６が弾性的に拡げられるから、プレーヤーは、このレッグカバー１０を装着する際に本体１４に簡単に脚１９を挿入することができるし、また、脚１９を挿入した後に本体１４の上縁部１６が弾性的に収縮するから、このレッグカバー３０が確実に脚１９に保持される。すなわち、プレーヤーは、プレー中であっても迅速にレッグカバー３０を着脱することができる。
【００６４】
また、レッグカバー３０の本体１４が切込部２０を備えているので、面ファスナー２１が開けられることによって切込部２０が開かれる。これにより、本体１４の上縁部１６が大きく開かれ、プレーヤーは、一層簡単にレッグカバー３０を着脱することができるという利点がある。さらに、前述のように上記切込部２０では上記本体１４を構成する生地が距離ｄだけオーバーラップしているので、切込部２０からの浸水が効果的に抑制されるという利点もある。
【００６５】
上記第１の実施形態と同様に本実施形態においても、本体１４とスカート部１５との境界部２７は、その内径が弾性的に拡縮するので、レッグカバー１０が装着された状態で上記境界部２７が弾性的にプレーヤーの足首の周りに密着される。これにより、スカート部１５によって踵部分２５及び甲部分２６が確実に保護される。特に、境界部２７のうち前側のみが拡縮するように構成されているから、プレーヤーがレッグカバー１０を脚１９に装着する作業がより簡単になるという利点がある。
【００６６】
＜第３の実施形態＞
【００６７】
図４は、本発明の第３の実施形態に係るレッグカバー４０が採用されたスポーツウェア４１の正面図である。
【００６８】
このスポーツウェア４１は、例えばゴルフウェアとして使用される。ただし、ゴルフに限定されるものではなく、ジョギング、散歩、釣りその他のアウトドアスポーツに使用され得る。
【００６９】
同図が示すように、スポーツウェア４１は、ジャケット４２とパンツ４３とを備えている。ジャケット４２及びパンツ４３は、ゴルフに適する生地で構成され、ゴルフに適するデザインが施されている。このため、このスポーツウェア４１を着用したプレーヤーは、非常に動きやすく、プレーに集中することができる。
【００７０】
図５は、レッグカバー４０の正面図である。
【００７１】
上記パンツ４３にレッグカバー４０が設けられている。レッグカバー４０は、本体１４と、本体１４の下方に延設されたスカート部１５とを備えている。本体１４及びスカート部１５は、撥水性を有するシートから構成されている。本体１４及びスカート部１５を構成する材料としては、ナイロンその他の樹脂シートが採用され得る。もっとも、本体１４及びスカート部１５が綿等から構成され、この表面が撥水処理されていてもよいことは勿論である。
【００７２】
本体１４は、円筒状に形成されている。本体１４の内径寸法は、５０ｍｍ〜８０ｍｍ程度に設定され、プレーヤーは、脚を上方から本体１４に挿入する。本体１４の長手方向寸法は、２００ｍｍ〜３００ｍｍ程度に設定されている。このため、プレーヤーが脚を本体１４に挿入すると、本体１４は、プレーヤーの膝下部分から足首部分までを被うようになっている。
【００７３】
本体１４の内側、すなわちプレーヤーの脚の内側に対応する部分に切込部２０が設けられている。ただし、この切込部２０においては、本体１４を構成する生地が所定の距離ｄだけ重ね合わされている。この切込部２０は、本体１４の上縁１８から下方に向かって延びている。切込部２０の長さは、１２０ｍｍ〜２００ｍｍ程度に設定される。さらに、本体１４の上縁部１６にファスナー４４が設けられている。このファスナー４４は、上縁部１６の内側に周方向に沿って配置されている。後に詳述されるが、レッグカバー４０は、このファスナー４４を介してパンツ４３に着脱されるようになっている。
【００７４】
スカート部１５は本体１４と一体的に形成されており、本体１４の下縁２４から下方に連続している。スカート部１５の長手方向寸法は、１００ｍｍ〜１５０ｍｍ程度に設定されている。スカート部１５は、漏斗状に形成されており、その内径寸法が下方に向かって漸次拡大されている。上記第１の実施形態に係るレッグカバー１０と同様に（図１及び図２参照）、スカート部１５が漏斗状に形成されているから、プレーヤーがシューズを履いた状態で、スカート部１５の前側が甲部分に延び、踵部分及び甲部分に沿って配置される。すなわち、これら踵部分及び甲部分がスカート部１５によって被われるようになっている。
【００７５】
また、本体１４とスカート部１５との境界部２７に図示されていないゴムバンドが設けられている。これにより、この境界部２７の内径寸法が弾性的に拡縮されるようになっている。特に本実施形態では、上記ゴムバンドは、境界部２７のうち前側部分（すなわち、上記甲部分に対応する部分）のみに配置されている。これにより、上記境界部２７のうち前側のみが径方向に拡縮するようになっている。もっとも、上記ゴムバンドは、境界部２７の周囲全体に設けられていてもよい。
【００７６】
ゴルフの際には、プレーヤーは、このスポーツウェア４１を着用する。雨天の場合には、プレーヤーは、さらにレインウェアを外套して着用するが、雨が止むと直ちにレインウェアを脱ぐ。ところが、雨が止んだ直後ではフィールドが濡れており、プレーヤーがレインウェアを脱ぐことによってパンツ４３のレッグ部分が濡れてしまうおそれがあるが、本実施形態に係るスポーツウェア４１では、パンツ４３にレッグカバー４０が設けられているから、パンツ４３の膝から下の部分及びシューズの踵部分及び甲部分がレッグカバー４０により被われ、雨水から保護される。すなわち、ゴルフにおいて、フィールドが濡れている場合であってもパンツ４３がひどく濡れ、靴がひどく汚れてしまうことがなく、プレーヤーは、プレー中に雨が止めば直ちに外套としてのレインウェアを脱ぐことができ、快適なプレーを行うことができる。
【００７７】
なお、フィールドが乾いた場合には、プレーヤーは、レッグカバー４０を取り外すことができる。この場合、図５が示すように、切込部２０が設けられているから、本体１４が大きく開放される。したがって、プレーヤーは、簡単且つ迅速にレッグカバー４０を取り外すことができる。
【００７８】
レッグカバー４０の本体１４は、上記ファスナー４４を介してパンツ４３に取り付けられる。このため、パンツ４３の膝部分に、上記ファスナー４４と対になるファスナーが取り付けられている。プレーヤーはファスナー４４の把手４５を操作して、レッグカバー４０をパンツ４３に着脱することができる。したがって、レッグカバー４０の着脱作業がきわめて簡単であり、プレーヤーは、所望時に迅速にレッグカバー４０を着脱することができる。しかも、レッグカバー４０がファスナー４４を介して着脱されることにより、レッグカバー４０がパンツ４３の一部として構成され得る。これにより、パンツ４３のデザイン上の自由度が向上し、パンツ４３の意匠を優れたものとすることができる。
【００７９】
本実施形態では、図４が示すように、パンツの膝部分に防水フラップ４６が設けられている。この防水フラップ４６は、撥水性を有する生地から構成されている。防水フラップ４６は、細長帯状に形成されている。このため、レッグカバー４０がパンツ４３に取り付けられた状態で、防水フラップ４６は、上記ファスナー４４を被い、レッグカバー４０の内側への浸水を防止している。この防水フラップ４６は、パンツと一体的に形成されていてもよい。防水フラップ４６が設けられているので、パンツ４３への浸水が確実に防止される。なお、前述のように、レッグカバー４０に上記切込部２０（図５参照）が設けられているので、この切込部２０からレッグカバー４０内部へ浸水するおそれがある。しかし、この切込部２０においては、本体１４を構成する生地が距離ｄだけオーバーラップしているので、切込部２０からの浸水は確実に規制されている。
【００８０】
さらに、図５が示すように、本体１４とスカート部１５との境界部２７は、その内径が弾性的に拡縮するので、レッグカバー４０が装着された状態で上記境界部２７が弾性的にプレーヤーの足首の周りに密着される。これにより、スカート部１５によってプレーヤーの踵部分及び甲部分が確実に保護される。特に、境界部２７のうち前側のみが拡縮するように構成されているから、プレーヤーがレッグカバー４０を脚に装着する作業がより簡単になるという利点がある。
【産業上の利用可能性】
【００８１】
本発明は、スポーツウェアに着脱されるレッグカバーに適用され得る。
【図面の簡単な説明】
【００８２】
【図１】図１は、本発明の第１の実施形態に係るレッグカバーの斜視図である。
【図２】図２は、本発明の第１の実施形態に係るレッグカバーの正面図である。
【図３】図３は、本発明の第１の実施形態の変形例に係るレッグカバーの斜視図である。
【図４】図４は、本発明の第３の実施形態に係るレッグカバーが採用されたスポーツウェアの正面図である。
【図５】図５は、本発明の第３の実施形態に係るレッグカバーの正面図である。
【符号の説明】
【００８３】
１０・・・レッグカバー
１１・・・ゴルフウェア
１２・・・レッグ部分
１４・・・本体
１５・・・スカート部
１６・・・上縁部
１７・・・ゴムバンド
１８・・・上縁
２０・・・切込部
２１・・・面ファスナー
２４・・・下縁
２５・・・踵部分
２６・・・甲部分
２７・・・境界部
３０・・・レッグカバー
３１・・・下縁
３２・・・切込部
３３・・・ファスナー
３４・・・防水フラップ
４０・・・レッグカバー
４１・・・スポーツウェア
４３・・・パンツ
４４・・・ファスナー
４６・・・防水フラップ
【図１】
2007277761.tif 000003
【図２】
2007277761.tif 000004
【図３】
2007277761.tif 000005
【図４】
2007277761.tif 000006
【図５】
2007277761.tif 000007